(57)【特許請求の範囲】
【請求項１】
空気調和機における室内機（ＩＵ）のドレン排水口（２）とドレン排水管（３）とに継手部（６，１０）を介して可撓性のドレンホース（４）が着脱自在に取り付けられるドレン水排水機構（１）であって、
前記継手部（６，１０）のうちの前記ドレン排水口（２）と前記ドレンホース（４）とを接続する室内機側継手部（１０）は、前記ドレン排水口（２）に取り付けられる第１継手部材（２０）と、前記ドレンホース（４）に取り付けられる第２継手部材（３０）とを有し、前記第１継手部材（２０）と前記第２継手部材（３０）とが挿抜式に、かつ着脱自在に組み付けられてなり、
前記第２継手部材（３０）は、前記第１継手部材（２０）が延びる方向に延びる横管（３１）と、前記横管（３１）から前記ドレンホース（４）に向けて立ち上がる縦管（３２）とを有し、
前記横管（３１）は、前記第１継手部材（２０）が挿入される第１管部（３１ａ）と、前記第１管部（３１ａ）と前記縦管（３２）との連結部を形成する、内径が前記第１管部（３１ａ）の内径よりも小さい第２管部（３１ｂ）と、前記第１継手部材（２０）が前記第２継手部材（３０）に対し着脱自在に組み付けられる際の、前記第１継手部材（２０）の当たり面を成す段差部（３１ｃ）とを有し、
前記段差部（３１ｃ）は、前記第１管部（３１ａ）と前記第２管部（３１ｂ）との境界部に設けられるとともに、前記第１管部（３１ａ）と前記第２管部（３１ｂ）とを繋ぐ通路を有し、
前記段差部（３１ｃ）の通路は、前記縦管（３２）の立ち上がり方向を長手方向とした長孔（３１ｄ）に形成され、
前記長孔（３１ｄ）の最下部（３１Ｌ）は、前記第２管部（３１ｂ）の通路の最下部（３１Ｌ）に対して同一高さ又は上方に位置し、前記第１継手部材（２０）に挿入された前記ドレン排水口（２）の端部の最下部（２Ｌ）に対しては下方に位置する
ことを特徴とするドレン水排水機構。
【請求項２】
前記長孔（３１ｄ）の短径（ＳＤ）は、前記第２管部（３１ｂ）の通路において前記横管（３１）が延びる方向（Ｘ）と上下方向（Ｙ）とに直交する幅方向の寸法に等しい
ことを特徴とする請求項１に記載のドレン水排水機構。
【請求項３】
前記第２管部（３１ｂ）の通路における下方の部分は、円弧状に形成され、
前記長孔（３１ｄ）の下方の部分は、前記第２管部（３１ｂ）の通路における下方の部分の内径に等しい円弧状に形成されている
ことを特徴とする請求項２に記載のドレン水排水機構。
【請求項４】
前記段差部（３１ｃ）の通路の最下部（３１Ｌ）は、前記第１継手部材（２０）における前記第２継手部材（３０）側の開口端部（２２）の通路の最下部（２２Ｌ）と同じ位置、又は前記第１継手部材（２０）における前記第２継手部材（３０）側の開口端部（２２）の通路の最下部（２２Ｌ）よりも下方に位置する
ことを特徴とする請求項１〜３のいずれか一項に記載のドレン水排水機構。
【発明の詳細な説明】
【技術分野】
【０００１】
本発明は、空気調和機の室内機において発生したドレン水を室内機の外部に排水するためのドレン水排水機構に関する。
【背景技術】
【０００２】
従来、天井裏等に設置された室内機は、天井裏等に設けられた梁を跨ぐように、室内機のドレン排水口から上方に立ち上げられた後に水平方向に延びる配管やホースによって、室外に繋がるドレン排水管に接続されている。これにより、室内機において発生したドレン水は、ドレン排水口から配管やホースを経てドレン排水管に排水される。
【０００３】
このような室内機とドレン排水管との接続構造であるドレン水排水機構の一例として、例えば特許文献１には、室内機のドレン排水口とドレン排水管とに継手部を介して着脱自在な状態でドレンホースを取り付ける接続構造が開示されている。この種の接続構造のうちの継手部を介したドレン排水口とドレンホースとの接続構造の一例について、図１３を用いて説明する。
【０００４】
ドレン排水口１００及びドレンホース１０１を着脱自在に取り付ける継手部１１０は、ドレン排水口１００に取り付けられる中空円筒状の第１継手部材１２０とドレンホース１０１に取り付けられる中空円筒状の第２継手部材１３０とが係止具１４０により固定された構成である。第１継手部材１２０及び第２継手部材１３０内には、ドレン水が流通する通路が形成されている。
【０００５】
第１継手部材１２０は、第２継手部材１３０が挿入される継手挿入部１２２と、ドレン排水口１００が挿入される排水口挿入部１２１とを有する。図１３に示すとおり、排水口挿入部１２１の内径が継手挿入部１２２の内径よりも大きく形成され、排水口挿入部１２１と継手口挿入部１２２との境界部分には段部１２３が形成されている。ドレン排水口１００は、段部１２３に接触することにより継手部１１０に対するドレン排水口１００の位置が決められる。
【先行技術文献】
【特許文献】
【０００６】
【特許文献１】特開２０１５−１０５７８９号公報
【発明の概要】
【発明が解決しようとする課題】
【０００７】
ところで、図１３に示すとおり、ドレン排水口１００におけるドレン水が流通する通路を構成するドレン排水口１００の内径は、第２継手部材１３０におけるドレン水が流通する通路を構成する第２継手部材１３０の内径よりも大きい。これにより、ドレン排水口１００の通路の最下部１００Ｌが第２継手部材１３０の通路の最下部１３１よりも下方に位置するため、ドレン排水口１００の通路と第２継手部材１３０の通路との間には、段差部１５０が形成される。これにより、図１３において二点鎖線により示すように、ドレン排水口１００からドレンホースに向けて流れるドレン水は、段差部１５０により一度堰き止められ、その段差部１５０を乗り越えたドレン水のみが第２継手部材１３０の通路を流れる。このように、ドレン排水口１００からドレンホース１０１にドレン水が円滑に流れない場合がある。
【０００８】
本発明は、このような事情に鑑みてなされたものであって、ドレン排水口からドレン排水管へドレン水を円滑に排水することができるドレン水排水機構を提供することを目的とする。
【課題を解決するための手段】
【０００９】
この課題を解決するドレン水排水機構は、空気調和機における室内機のドレン排水口とドレン排水管とに継手部を介して可撓性のドレンホースが着脱自在に取り付けられるドレン水排水機構であって、前記継手部のうちの前記ドレン排水口と前記ドレンホースとを接続する室内機側継手部は、前記ドレン排水口に取り付けられる第１継手部材と、前記ドレンホースに取り付けられる第２継手部材とを有し、前記第１継手部材と前記第２継手部材とが挿抜式に、かつ着脱自在に組み付けられてなり、前記第２継手部材は、前記第１継手部材が延びる方向に延びる横管と、前記横管から前記ドレンホースに向けて立ち上がる縦管とを有し、前記横管は、前記第１継手部材が挿入される第１管部と、前記第１管部と前記縦管との連結部を形成する、内径が前記第１管部の内径よりも小さい第２管部と、前記第１継手部材が前記第２継手部材に対し着脱自在に組み付けられる際の、前記第１継手部材の当たり面を成す段差部とを有し、前記段差部は、前記第１管部と前記第２管部との境界部に設けられるとともに、前記第１管部と前記第２管部とを繋ぐ通路を有し、前記段差部の通路は、前記縦管の立ち上がり方向を長手方向とした長孔に形成され、前記長孔の最下部は、前記第２管部の通路の最下部に対して同一高さ又は上方に位置し、前記第１継手部材に挿入された前記ドレン排水口の端部の最下部に対しては下方に位置する。
【００１０】
この構成によれば、室内機側継手部を、第１継手部材に挿入されたドレン排水口の通路の最下部よりも上方となるような段差部がドレン排水口と第２管部との間に形成されない、一体化または分割容易なドレン排水機構とすることができる。これにより、第１継手部材に挿入されたドレン排水口の通路の最下部を流れるドレン水が第２管部に流れるときに堰き止められることなく、その自重により第２管部の通路の最下部に流れ落ちる。このように、ドレン水がドレン排水口から第１継手部材を経て第２継手部材に向けて円滑に流れるため、ドレン排水口からドレンホースにドレン水を円滑に排水することができる。したがって、この継手部を用いることにより、室内機のどれ排水ホースの取り付けメンテナンスを容易にすることができるとともに、ドレン排水口からドレン排水管にドレン水を円滑に排水ことができる。
【００１１】
また、段差部の通路が長孔により形成されるため、段差部の通路の最下部をドレン排水口の最下部よりも下方に位置する構成を容易に形成することができる。
【００１２】
また、上記ドレン水排水機構において、前記長孔の短径は、前記第２管部の通路において前記横管が延びる方向と上下方向とに直交する幅方向の寸法に等しいことが好ましい。
この構成によれば、幅方向において段差部の通路と第２管部の通路とが滑らかに連続するため、ドレン水を段差部から第２管部に円滑に流すことができる。なお、長孔の短径が第２管部の通路の幅方向の寸法に等しいとは、製造誤差により長孔の短径と第２管部の通路の幅方向の寸法とが僅かに異なる場合も含む。
【００１３】
また、上記ドレン水排水機構において、前記第２管部の通路における下方の部分は、円弧状に形成され、前記長孔の下方の部分は、前記第２管部の通路における下方の部分の内径に等しい円弧状に形成されていることが好ましい。
【００１４】
この構成によれば、段差部の通路の下方の部分と第２管部の通路の下方の部分とが滑らかに連続するため、ドレン水を段差部から第２管部に円滑に流すことができる。なお、長孔において第２管部の通路の内径に等しい円弧状とは、製造誤差により第２管路の通路の内径と僅かに異なる円弧状も含む。
【００１５】
また、上記ドレン水排水機構において、前記段差部の通路の最下部は、前記第１継手部材における前記第２継手部材側の開口端部の通路の最下部と同じ位置、又は前記第１継手部材における前記第２継手部材側の開口端部の通路の最下部よりも下方に位置することが好ましい。
【００１６】
この構成によれば、第１継手部材と第２継手部材との接続部分の最下部においてドレン水を堰き止めるような段差部が形成されない。したがって、第１継手部材と第２継手部材との接続部分の最下部をドレン水が円滑に流れる。したがって、第１継手部材から第２継手部材にドレン水を円滑に流すことができる。
【発明の効果】
【００１７】
上記ドレン水排水機構によれば、ドレン排水口からドレン排水管へドレン水を円滑に排水することができる。
【図面の簡単な説明】
【００１８】
【図１】（ａ）空気調和機の室内機のドレン排水口及びドレン排水管に接続されたドレン水排水機構の一実施形態の側面図、（ｂ）上記（ａ）の室内機及びドレン排水管とドレン水排水機構との平面図。
【図２】図１のドレン水排水機構の分解斜視図。
【図３】図２のドレン水排水機構において、室内機側継手部を分解した状態のドレン排水口、室内機側継手部及びドレン排水管の分解斜視図。
【図４】（ａ）図３の室内機側継手部における第１継手部材の正面図、（ｂ）上記（ａ）の４ｂ−４ｂ線で切った第１継手部材の断面図。
【図５】（ａ）図３の室内機側継手部における第２継手部材の正面図、（ｂ）第２継手部材の平面図、（ｃ）上記（ｂ）の５ｃ−５ｃ線で切った第２継手部材の断面図。
【図６】（ａ）室内機側継手部の断面図、（ｂ）室内機側継手部の正面図。
【図７】室内機側継手部にドレン排水口及びドレンホースが接続された状態の断面図。
【図８】比較例のドレン水排水機構において、室内機側継手部にドレン排水口及びドレンホースが接続された状態の断面図。
【図９】室内機側継手部にドレン排水口及びドレンホースが組み付けられた状態の側面図。
【図１０】変形例のドレン水排水機構において、（ａ）第１継手部材の正面図、（ｂ）上記（ａ）の１０ｂ−１０ｂ線で切った第１継手部材の断面図。
【図１１】別の変形例のドレン水排水機構において、ドレンホースが接続された排水管側継手部とドレン排水管との分解斜視図。
【図１２】さらに別の変形例のドレン水排水機構における室内機側継手部の側面図。
【図１３】従来のドレン水排水機構において、継手部にドレン排水口及びドレンホースが接続された状態の断面図。
【発明を実施するための形態】
【００１９】
以下、ドレン水排水機構の一実施形態について、図面を参照しつつ説明する。本実施形態のドレン水排水機構１は、天井埋込型や天井吊型のような高所設置型の空気調和機の室内機ＩＵのドレン排水口２から排水されるドレン水をドレン排水管３に排水する。なお、以下の説明において、ドレン水がドレン排水口２からドレン排水管３に向けて流れる方向を「水流通方向Ｗ」と称する場合がある。また、以下のドレン水排水機構１の説明において方向を示す場合は、図１に示すようなドレン水排水機構１により室内機ＩＵ及びドレン排水管３が接続された場合の各方向を用いる。
【００２０】
図１（ａ）に示すように、ドレン水排水機構１は、可撓性を有するドレンホース４を備える。ドレンホース４は、天井スラブＣから垂下したホース支持具５によりドレンホース４の一部がドレン排水口２よりも所定の高さ分だけ上方に位置するように支持されている。ドレンホース４のドレン排水口２側の端部は、室内機側継手部１０を介してドレン排水口２と接続され、ドレンホース４のドレン排水管３側の端部は、排水管側継手部６を介してドレン排水管３と接続されている。
【００２１】
図１（ｂ）に示すように、ドレン排水口２は、室内機ＩＵにおける熱交換器（図示略）等を収容した箱状のハウジングＨの四隅に形成された面取り部分のうちの１つの面取り部分に接続されている。そしてドレン排水口２に接続されるドレン水排水機構１は、室内機ＩＵの横方向Ｘに向けて延びている。
【００２２】
図２に示すように、ドレン水排水機構１は、Ｌ字状（所謂エルボタイプ）の室内機側継手部１０により、横方向Ｘに延びるドレン排水口２と、上下方向Ｙに延びるドレンホース４のドレン排水口２側の部分とを接続している。またドレン水排水機構１は、Ｌ字状（所謂エルボタイプ）の排水管側継手部６により、横方向Ｘに延びるドレン排水管３と、上下方向Ｙに延びるドレンホース４のドレン排水管３側の部分とを接続している。このように、本実施形態では、室内機側継手部１０と排水管側継手部６とは同様の構成である。
【００２３】
図２及び図３に示すように、室内機側継手部１０は、ドレン排水口２に取り付けられる第１継手部材２０と、ドレンホース４に取り付けられる第２継手部材３０とが着脱自在に組み付けられている。
【００２４】
図３に示すように、第１継手部材２０は、横方向Ｘに延びる流路管部２１と、流路管部２１から第２継手部材３０側に向けて延びる延長管部２２と、延長管部２２の外周部に設けられた取付部２３と、流路管部２１におけるドレン排水口２側に設けられたフランジ２４とが一体に形成されている。このような一体形成の方法として、例えば第１継手部材２０は樹脂材料を用いた射出成型により形成されている。
【００２５】
第２継手部材３０は、横方向Ｘ（第１継手部材２０が延びる方向）に延びる横管３１と、横管３１から立ち上がる縦管３２と、縦管３２における上方の開口端部側に設けられ、ドレンホース４が接続されるホース接続部３３と、横管３１からドレン排水口２側に向けて延びる一対の係止部３４Ｘとが一体に形成されている。このような一体形成の方法として、例えば第２継手部材３０は樹脂材料を用いた射出成型により形成されている。
【００２６】
このような第１継手部材２０及び第２継手部材３０の詳細な構成について図４及び図５を用いて説明する。
図４（ｂ）に示すように、第１継手部材２０には、横方向Ｘに貫通する貫通孔が形成されている。この貫通孔は、ドレン水が流通する通路を含む。流路管部２１は、ドレン排水口２（図３参照）が挿入可能な第１内径Ｄ１を有する第１挿入部２１ａと、第１内径Ｄ１よりも小さい第２内径Ｄ２を有し、ドレン排水口２が挿入可能な第２挿入部２１ｂとを有する。第１挿入部２１ａはドレン排水口２側の開口端部を形成し、第２挿入部２１ｂは第１挿入部２１ａに対して水流通方向Ｗの下流側に設けられている。
【００２７】
第１挿入部２１ａの通路と第２挿入部２１ｂの通路との境界部分には、水流通方向Ｗの下流側に向けて縮径する段形状となる第１位置決め部２１ｃが形成されている。第１内径Ｄ１に等しい外径を有するドレン排水口（図示略）が流路管部２１に挿入されたとき、ドレン排水口が第１位置決め部２１ｃと接触することにより、流路管部２１に対するドレン排水口の位置が決められる。
【００２８】
第２挿入部２１ｂの通路における水流通方向Ｗの下流側の部分には、水流通方向Ｗの下流側に向けて縮径する段形状となる第２位置決め部２１ｄが形成されている。第２内径Ｄ２に等しい外径を有するドレン排水口（本実施形態のドレン排水口２）が流路管部２１に挿入されたとき、ドレン排水口２が第２位置決め部２１ｄと接触することにより、流路管部２１に対するドレン排水口２の位置が決められる。このように、第１継手部材２０（流路管部２１）は、異なる２種類の外径を有するドレン排水口が取り付け可能となる。
【００２９】
第２挿入部２１ｂにおいて第２位置決め部２１ｄよりも水流通方向Ｗの下流側となる端部には、横方向Ｘから見て円環状をなす段部２１ｅが形成されている。段部２１ｅの内径は、第２内径Ｄ２に等しい外径を有するドレン排水口２におけるドレン水を流通する通路の内径と等しい。
【００３０】
この段部２１ｅよりも水流通方向Ｗの下流側には、第２挿入部２１ｂから延長された延長管部２２が設けられている。延長管部２２は、第２内径Ｄ２と概ね等しい内径を有する第１拡径部２２ａと、第１内径Ｄ１と概ね等しい内径を有する第２拡径部２２ｂとを有する。第２拡径部２２ｂは、第１拡径部２２ａに対して水流通方向Ｗの下流側に設けられている。このため、段部２１ｅにおけるドレン水が流通する通路と第１拡径部２２ａにおけるドレン水が流通する通路との境界部分、及び、第１拡径部２２ａの通路と第２拡径部２２ｂにおけるドレン水が流通する通路との境界部分のそれぞれには、水流通方向Ｗの下流側に向けて拡径する段形状が形成されている。
【００３１】
延長管部２２の外周部に設けられた取付部２３は、横方向Ｘに間隔を置いて形成された一対の円環壁部からなる。この一対の円環壁部の間には、円環状のシール部材の一例であるＯリング１１が取り付けられている。
【００３２】
また、流路管部２１の外周部には、フランジ２４が設けられている。フランジ２４は、第１挿入部２１ａにおける第２挿入部２１ｂ側の端部に設けられている。なお、第１挿入部２１ａの外径は第２挿入部２１ｂの外径よりも大きい。このため、流路管部２１の外周部は、第１挿入部２１ａと第２挿入部２１ｂとの境界部分において段形状となる。
【００３３】
図４（ａ）に示すように、フランジ２４は横方向Ｘから見て円環状をなす。フランジ２４には、その周方向に延びる一対の係止孔２４Ｘが形成されている。一対の係止孔２４Ｘは、上下方向Ｙにおいて互いに対向している。フランジ２４の外周部には、横方向Ｘから見て円環状をなす外周壁２５が設けられている。図４（ｂ）に示すように、外周壁２５は、フランジ２４から水流通方向Ｗの上流側に向けて立ち上がる。フランジ２４の径方向において、一対の係止孔２４Ｘと外周壁２５との間には、係止面２４ａが設けられている。
【００３４】
図５（ｃ）により示すように、第２継手部材３０には、横管３１及び縦管３２に亘って貫通する貫通孔が形成されている。この貫通孔は、ドレン水が流通する通路となる。第２継手部材３０の横管３１は、第２継手部材３０における水流通方向Ｗの上流側の開口端部を構成する第１管部３１ａと、第１管部３１ａと縦管３２とを連結する第２管部３１ｂとを有する。第１管部３１ａには、第１継手部材２０（図４参照）が挿入される。第２管部３１ｂの通路の断面積は、第１管部３１ａの通路の断面積よりも小さい。このため、第１管部３１ａの通路と第２管部３１ｂの通路との境界部分には、第１管部３１ａと第２管部３１ｂとを繋ぐ段差部３１ｃが形成されている。
【００３５】
図５（ａ）に示すように、段差部３１ｃには、第１管部３１ａの中心よりも下方に偏り、上下方向Ｙが長手方向となる長孔３１ｄが形成されている。長孔３１ｄは、段差部３１ｃの通路を構成している。第２継手部材３０の正面視において、長孔３１ｄは、その上端部及び下端部に形成された円弧部と、これら円弧部を上下方向Ｙに沿って接続した一対の直線部とからなる形状である。
【００３６】
長孔３１ｄにおける上下の円弧部の半径は、段部２１ｅ（図４参照）の通路の半径と等しい。また、長孔３１ｄは、第２管部３１ｂにおける長孔３１ｄ側の端部の通路形状と等しく、第２管部３１ｂの通路と滑らかに連続している。すなわち第２管部３１ｂにおける長孔３１ｄ側の端部の通路は上下方向Ｙが長手方向となる長孔に形成されている。このため、長孔３１ｄの短径ＳＤは、第２管部３１ｂの通路において横方向Ｘ（横管３１が延びる方向）と上下方向Ｙとに直交する幅方向の寸法（第２管部３１ｂの通路の短径）と等しい。また、長孔３１ｄの下方の部分の円弧形状は、第２管部３１ｂの通路の下方の円弧形状と等しい。さらに、図５（ｃ）に示すように、段差部３１ｃの通路の最下部３１Ｌの上下方向Ｙの位置は、第２管部３１ｂの通路の最下部の上下方向Ｙの位置と等しい。このため、最下部３１Ｌは、段差部３１ｃの最下部及び第２管部３１ｂの最下部を共通して称する場合がある。
【００３７】
図５（ｂ）及び（ｃ）に示すように、横管３１における水流通方向Ｗの上流側の開口端部には、水流通方向Ｗの上流側に延びる一対の係止部３４Ｘが設けられている。
一対の係止部３４Ｘは、縦管３２の立ち上がり方向（本実施形態では上下方向Ｙ）において互いに対向している。また、一対の係止部３４Ｘは、第１管部３１ａの開口端部から水流通方向Ｗの上流側（ドレン排水口２側）に向けて延びている。詳しくは、一対の係止部３４Ｘは、水流通方向Ｗの上流側（ドレン排水口２側）に向かうにつれて互いに離れる方向に傾斜して延びている。係止部３４Ｘは、第１管部３１ａの開口端部から延びるアーム３４ａと、アーム３４ａの先端部に形成された係止爪３４ｂとを有する。係止爪３４ｂは、上下方向Ｙにおいてアーム３４ａの外側に突出するように形成されている。
【００３８】
縦管３２は、円筒状であり、第２管部３１ｂから上方に延びている。縦管３２の通路の半径は、第１継手部材２０の段部２１ｅ（図４参照）の半径と概ね等しい。縦管３２の上端部にはホース接続部３３が設けられている。ホース接続部３３は、縦管３２の外周部において縦管３２と同心円状に形成されている。ホース接続部３３には、ドレンホース４の端部が挿入可能な円環状の収容部３３ａが設けられている。ホース接続部３３の一部は、横管３１の第１管部３１ａの上端部と接続されている。
【００３９】
このような構成の室内機側継手部１０には、図６（ａ）に示すように、第１継手部材２０と第２継手部材３０とを着脱自在とするための一対の挿抜部４０が設けられている。
一対の挿抜部４０は、第１継手部材２０のフランジ２４に設けられた一対の係止孔２４Ｘと、第２継手部材３０の横管３１に設けられた一対の係止部３４Ｘとからなる。一対の挿抜部４０のそれぞれには、第１継手部材２０と第２継手部材３０とを係止するための係止機構４１が設けられている。係止機構４１は、係止孔２４Ｘの外周縁をなす係止面２４ａと、係止部３４Ｘの係止爪３４ｂとからなる。一対の挿抜部４０は、係止部３４Ｘが係止孔２４Ｘに挿入され、係止爪３４ｂが係止孔２４Ｘの外周縁をなす係止面２４ａに係止されることにより第１継手部材２０と第２継手部材３０とを係止する。一方、一対の挿抜部４０（係止機構４１）は、係止孔２４Ｘの外周縁をなす係止面２４ａから係止部３４Ｘの係止爪３４ｂの係止が解除されることにより第１継手部材２０と第２継手部材３０とが互いに外される。
【００４０】
図６（ｂ）に示すように、室内機側継手部１０の周方向すなわちフランジ２４の周方向において、係止孔２４Ｘの長さは、係止部３４Ｘの長さよりも長い。本実施形態では、フランジ２４の周方向において、係止孔２４Ｘの長さは、係止部３４Ｘの長さの２倍以上である。一対の係止孔２４Ｘは、フランジ２４が一対の挿抜部４０による第１継手部材２０と第２継手部材３０との着脱の繰り返しに対して必要な強度が保つことが可能な範囲において、周方向の長さを長くしている。本実施形態では、フランジ２４に外周壁２５が設けられているため、一対の係止孔２４Ｘの周方向の長さは、フランジ２４に外周壁２５が設けられていない場合よりも長くしている。
【００４１】
図６（ａ）に示すように、一対の係止部３４Ｘと一対の係止孔２４Ｘの外周縁をなす係止面２４ａとが係止した状態において、第１継手部材２０の流路管部２１が第２継手部材３０の第１管部３１ａに挿入され、第１継手部材２０の水流通方向Ｗの下流側の開口端部（延長管部２２の開口端部）は、第２継手部材３０の段差部３１ｃと接触している。
【００４２】
第１継手部材２０と第２継手部材３０との間には、Ｏリング１１が圧縮変形（弾性変形）することにより、第１継手部材２０の外周部と第２継手部材３０の内周部との間の隙間を埋めている。これにより、第１継手部材２０と第２継手部材３０との間からドレン水が漏れることを抑制している。
【００４３】
図７に示すように、ドレン排水口２は、第１継手部材２０の第２挿入部２１ｂに接着されている。詳細には、接着剤が第２挿入部２１ｂの内面に塗布された状態においてドレン排水口２が第２位置決め部２１ｄに接触するまで第２挿入部２１ｂに挿入される。このとき、横方向Ｘにおいてドレン排水口２、第２位置決め部２１ｄ及び段部２１ｅとの間には円環状の凹部が形成されるが、その凹部に、ドレン排水口２が第２挿入部２１ｂに挿入されることにより押し出された接着剤（図７の網掛け部分）が溜まる。
【００４４】
ドレン排水口２のうちの第２挿入部２１ｂに挿入された部分の通路の最下部（以下、「最下部２Ｌ」）は、第１継手部材２０における段部２１ｅの通路の最下部と上下方向Ｙにおいて等しく、延長管部２２の通路の最下部２２Ｌよりも上方に位置している。延長管部２２の通路の最下部２２Ｌは、第１拡径部２２ａから第２拡径部２２ｂに向けて、すなわち水流通方向Ｗの下流側に向けて下方となるように位置する。第２拡径部２２ｂの最下部２２Ｌは、第２継手部材３０の段差部３１ｃの通路の最下部３１Ｌと上下方向Ｙにおいて僅かに上方に位置している。すなわち、段差部３１ｃの通路の最下部３１Ｌは、第１継手部材２０における第２継手部材３０側の開口端部の通路の最下部よりも下方に位置している。
【００４５】
次に、本実施形態の作用について図７及び図８を用いて説明する。図８に示す比較例の室内機側継手部１０Ａは、室内機側継手部１０に対して第２継手部材３０の横管３１の形状が異なる。このため、室内機側継手部１０Ａにおいて室内機側継手部１０と共通する構成要素は同一の符号を用いて、その説明を省略する。
【００４６】
図７に示すように、ドレン排水口２を流通するドレン水が室内機側継手部１０においてドレン水が流通する通路の全体を満たすことはなく、例えば第１継手部材２０の通路のうちの下方の一部、又は第１継手部材２０の通路の内面に沿って渦巻状に流通する。
【００４７】
図７において二点鎖線により示すように、ドレン排水口２を流通するドレン水は、段部２１ｅの通路を通過した後、その自重により延長管部２２の通路の最下部２２Ｌに流れ落ちる。そして段差部３１ｃ及び第２管部３１ｂの通路の最下部３１Ｌを通過し、縦管３２を介してドレンホース４に排水される。このように、ドレン排水口２のドレン水は、第１継手部材２０及び第２継手部材３０の横管３１の通路において堰き止められることなく、ドレンホース４に排水される。
【００４８】
ところで、図８に示すように、室内機側継手部１０Ａの第２継手部材３０は、第２管部３１ｂの通路の最下部３１Ｌの上下方向Ｙの位置がドレン排水口２の通路の最下部２Ｌの上下方向Ｙの位置と等しくなる構成である。このため、第１継手部材２０の延長管部２２の通路と段差部３１ｃの通路との間に凹部が形成される。これにより、ドレン排水口２のドレン水は、凹部に流れ落ちる。すなわち、凹部はドレン水（図８の網掛け部分）が溜まってしまう。凹部に溜まったドレン水はＯリング１１により第１継手部材２０及び第２継手部材３０の間から漏れることが抑制されている。ところで、例えば飲食店のように油を使う室内に室内機ＩＵ（図１参照）が設置されたとき、ドレン水には油分が含まれてしまう。そして凹部に溜まるドレン水にも油分が含まれるため、この油分によりＯリング１１が溶けて第１継手部材２０及び第２継手部材３０の間からドレン水が漏れてしまう虞がある。
【００４９】
その点、図７に示すとおり、本実施形態の室内機側継手部１０は、段差部３１ｃの通路の最下部３１Ｌが延長管部２２の通路の最下部２２Ｌと同じ位置であるため、すなわち図８の網掛け部分のようなドレン水が溜まる凹部が形成されないため、第１継手部材２０と第２継手部材３０との間でドレン水が溜まることがない。したがって、Ｏリング１１の劣化を抑制することができ、第１継手部材２０と第２継手部材３０との間からドレン水が漏れることを抑制することができる。
【００５０】
次に、第１継手部材２０及び第２継手部材３０の組み付け作業と、ドレン排水口２とドレンホース４との接続作業及び分離作業とについて、図２、図３、図６及び図９を用いて説明する。
【００５１】
図３及び図６に示すように、作業者が第１継手部材２０及び第２継手部材３０を組み付けるとき、第２継手部材３０の第１管部３１ａに第１継手部材２０の流路管部２１における第２挿入部２１ｂ及び延長管部２２が挿入される。このとき、係止部３４Ｘの係止爪３４ｂと係止孔２４Ｘの外周縁をなす係止面２４ａとの係止が開始される前に、延長管部２２の取付部２３に取り付けられたＯリング１１が第１管部３１ａに圧縮されながら挿入される。これにより、第２継手部材３０に対する第１継手部材２０の傾きが抑制される。このため、第１継手部材２０が第２継手部材３０に対してこじることなく挿入されることにより、係止部３４Ｘが係止孔２４Ｘ内に位置し易くなる。そして、第１継手部材２０が第２継手部材３０にさらに挿入されることにより、係止部３４Ｘにおける係止爪３４ｂが係止孔２４Ｘの内面に押されて流路管部２１の外周面に向けて係止部３４Ｘが弾性変形する。これにより、係止部３４Ｘの係止爪３４ｂが係止孔２４Ｘに挿入し易くなる。
【００５２】
そして、第１継手部材２０の延長管部２２の開口端部が第２継手部材３０の段差部３１ｃに接触するとき、係止部３４Ｘの係止爪３４ｂが係止孔２４Ｘよりも水流通方向Ｗの上流側（ドレン排水口２側）に位置する。このとき、係止部３４Ｘは、復元力により第１継手部材２０の外周壁２５に向けて復元する。これにより、係止機構４１は、図６に示すような係止状態となる。
【００５３】
そして図３に示すように、ドレン排水口２とドレンホース４との接続作業では、作業者は、室内機側継手部１０にドレン排水口２を接着する。一方、作業者は、室内機側継手部１０にドレンホース４を固定する。詳細には、作業者は、室内機側継手部１０の第２継手部材３０のホース接続部３３の収容部３３ａにドレンホース４の一方の開口端部を嵌め合わせる。なお、本実施形態では、第１継手部材２０及び第２継手部材３０を組み付けた後、ドレン排水口２及びドレンホース４を取り付けたが、第１継手部材２０にドレン排水口２を取り付け、第２継手部材３０にドレンホース４を取り付けた後、第１継手部材２０及び第２継手部材３０を組み付けてもよい。
【００５４】
なお、ドレン排水管３とドレンホース４との接続作業では、作業者は、上述の室内機側継手部１０における第１継手部材２０及び第２継手部材３０の組み付け作業と同様に、排水管側継手部６の第１継手部材２０及び第２継手部材３０（ともに図２参照）を組み付ける。そして、作業者は、排水管側継手部６にドレン排水管３を同様に接着する。以上の作業により、ドレン排水口２からドレン排水管３にドレン水が流通するようにドレン水排水機構１が組み立てられる。
【００５５】
一方、ドレン水排水機構１のメンテナンス等により、作業者がドレン排水口２とドレンホース４との分離作業を行うとき、図９の太線矢印により示すように、作業者は、一対の係止部３４Ｘを流路管部２１の外周面に向けて弾性変形させる。これにより、係止部３４Ｘの係止爪３４ｂと係止孔２４Ｘの外周縁をなす係止面２４ａとの係止が解除された状態となる。ここで、一対の係止部３４Ｘが第２継手部材３０の縦管３２が立ち上がる方向に対向して配置されるため、一対の係止部３４Ｘを押さえる作業者の指（図９の二点鎖線）も縦管３２が立ち上がる方向に配置すればよい。
【００５６】
そして、図９において白抜き矢印により示すように、作業者は、第２継手部材３０を第１継手部材２０から離れるように横方向Ｘに移動させる。これにより、第１継手部材２０と第２継手部材３０とが分離される。このとき、第１継手部材２０はドレン排水口２に接着されたままであり、第２継手部材３０はドレンホース４に接続されたままである。このように、作業者が室内機側継手部１０の第１継手部材２０と第２継手部材３０とを分離することにより、ドレン排水口２とドレンホース４とが分離される。なお、作業者が排水管側継手部６の第１継手部材２０と第２継手部材３０（ともに図２参照）とを分離することにより、ドレン排水管３（図２参照）とドレンホース４とが分離される。このように、ドレン水排水機構１は、第１継手部材２０及び第２継手部材３０の着脱により、ドレンホース４がドレン排水口２とドレン排水管３とに着脱自在に取り付けられている。
【００５７】
本実施形態によれば、以下の効果を得ることができる。
（１）第２継手部材３０の第２管部３１ｂの通路の最下部３１Ｌ（段差部３１ｃの通路の最下部３１Ｌ）がドレン排水口２の通路の最下部２Ｌよりも下方に位置することにより、第１継手部材２０に挿入されたドレン排水口２の通路の最下部２Ｌよりも上方となるような段差部がドレン排水口２と第２管部３１ｂとの間に形成されない。これにより、ドレン排水口２の通路の最下部２Ｌを流れるドレン水が第２管部３１ｂに流れるときに堰き止められることなく、その自重により第２管部３１ｂの通路の最下部３１Ｌに流れ落ちる。このように、ドレン水がドレン排水口２から第１継手部材２０を経て第２継手部材３０に向けて円滑に流れるため、ドレン排水口２からドレンホース４にドレン水を円滑に排水することができる。したがって、ドレン排水口２からドレン排水管３にドレン水を円滑に排水ことができる。
【００５８】
（２）上下方向Ｙが長手方向となる長孔３１ｄにより段差部３１ｃの通路が形成されるため、段差部３１ｃの通路の最下部３１Ｌをドレン排水口２の最下部２Ｌよりも下方に位置する構成を容易に形成することができる。
【００５９】
（３）段差部３１ｃの通路を構成する長孔３１ｄの短径ＳＤが第２管部３１ｂの通路において横方向Ｘと上下方向Ｙとに直交する幅方向の寸法と等しいことにより、長孔３１ｄの直線部と第２管部３１ｂの通路とが面一となる。これにより、段差部３１ｃの通路と第２管部３１ｂの通路とが滑らかに連続するため、ドレン水を段差部３１ｃから第２管部３１ｂに円滑に流すことができる。
【００６０】
（４）段差部３１ｃの通路を構成する長孔３１ｄの円弧状の下方の部分が第２管部３１ｂの通路の円弧状の下方の部分と等しいことにより、段差部３１ｃの通路の下方の部分と第２管部３１ｂの通路の下方の部分とが面一となる。これにより、段差部３１ｃの通路の下方の部分と第２管部３１ｂの通路の下方の部分とが滑らかに連続するため、ドレン水を段差部３１ｃから第２管部３１ｂにより円滑に流すことができる。
【００６１】
（５）段差部３１ｃの通路の最下部３１Ｌの位置と第２管部３１ｂの通路の最下部３１Ｌの位置とが互いに等しいことにより、段差部３１ｃの通路の最下部３１Ｌと第２管部３１ｂの通路の最下部３１Ｌとが面一となる。これにより、段差部３１ｃの通路の最下部３１Ｌと第２管部３１ｂの通路の最下部３１Ｌとが滑らかに連続するため、ドレン水を段差部３１ｃから第２管部３１ｂに円滑に流すことができる。
【００６２】
（６）段差部３１ｃの通路の最下部３１Ｌが第１継手部材２０の延長管部２２の通路の最下部２２Ｌよりも下方に位置することにより、第１継手部材２０と第２継手部材３０との接続部分の最下部においてドレン水を堰き止めるような段差部が形成されることが回避される。したがって、第１継手部材２０と第２継手部材３０との接続部分の最下部をドレン水が円滑に流れる。したがって、第１継手部材２０から第２継手部材３０にドレン水を円滑に流すことができる。
【００６３】
（７）第１継手部材２０の流路管部２１に延長管部２２が設けられ、その延長管部２２にＯリング１１が取り付けられることにより、Ｏリング１１が係止機構４１による係止よりも前に、第２継手部材３０の第１管部３１ａに圧縮状態で挿入される。これにより、第１継手部材２０と第２継手部材３０とが互いに傾くことが抑制されるため、係止機構４１による係止をスムーズに行うことができる。したがって、第１継手部材２０及び第２継手部材３０を容易に組み付けることができる。
【００６４】
一方、Ｏリング１１は、接触面積が増加するにつれてシール性が向上することにより、Ｏリング１１の外径が大きいことが好ましい。また第１継手部材２０の樹脂成型の成形性の観点から流路管部２１及び延長管部２２の厚さは概ね等しいことが好ましい。このような考えに基づいて、延長管部２２には段部２１ｅの通路の内径よりも大きい第１拡径部２２ａ及び第２拡径部２２ｂが設けられている。
【００６５】
そして、段差部３１ｃの通路の最下部３１Ｌが延長管部２２の通路の最下部２２Ｌよりも下方となるため、ドレン水が第１継手部材２０から第２継手部材３０に円滑に流れる。したがって、第１継手部材と第２継手部材３０との組み付けや分離がし易く、且つ第１継手部材２０の成形性及びＯリング１１によるシール性を十分に確保しつつも、ドレン排水口２からドレン排水管３へドレン水を円滑に排水することができる。
【００６６】
（変形例）
上記実施形態に関する説明は、本発明に従うドレン水排水機構が取り得る形態の例示であり、その形態を制限することを意図していない。本発明に従うドレン水排水機構は、例えば以下に示される実施形態の変形例、及び相互に矛盾しない少なくとも２つの変形例が組み合わせられた形態を取り得る。
【００６７】
・図１０（ａ）に示すように、第２継手部材３０の段差部３１ｃに形成される長孔３１ｄの上下方向Ｙの長さを上記実施形態の長孔３１ｄ（図５（ａ）参照）の上下方向Ｙの長さよりも長くしてもよい。図１０（ｂ）に示すように、段差部３１ｃの上端部は、第１継手部材２０の延長管部２２が接触可能な範囲だけあればよい。
【００６８】
・図１０（ａ）に示す長孔３１ｄに代えて、図１０（ａ）の長孔３１ｄの上下方向Ｙの長さを直径とする円孔であってもよい。
・段差部３１ｃの通路の最下部３１Ｌが第２管部３１ｂの通路の最下部３１Ｌよりも上方且つドレン排水口２の最下部２Ｌよりも下方に位置してもよい。
【００６９】
・上下方向Ｙにおいて、第１継手部材２０の延長管部２２の通路の最下部２２Ｌの位置と段差部３１ｃの通路の最下部３１Ｌの位置とが同じであってもよい。これにより、延長管部２２の通路の最下部２２Ｌと段差部３１ｃの通路の最下部３１Ｌとが面一となるため、ドレン水が延長管部２２から段差部３１ｃに円滑に流れる。したがって、ドレン排水口２からのドレン水がドレンホース４に円滑に排水することができる。
【００７０】
・一対の挿抜部４０に代えて、第１継手部材２０及び第２継手部材３０を連結した後、第１継手部材２０及び第２継手部材３０とは個別に設けられた係止具により第１継手部材２０及び第２継手部材３０を係止する構成であってもよい。
【００７１】
・一対の挿抜部４０の係止機構４１において、第１継手部材２０側に一対の係止部３４Ｘが設けられ、第２継手部材３０側に一対の係止孔２４Ｘが設けられてもよい。この場合、一対の係止部３４Ｘは、例えば第１挿入部２１ａの外周部から水流通方向Ｗの下流側に向けて延びる。また第２継手部材３０には、フランジ２４が設けられ、そのフランジ２４に一対の係止孔２４Ｘが設けられる。
【００７２】
・延長管部２２の外周部には、複数のＯリング１１が取り付けられてもよい。この場合、取付部２３の円環壁部の個数は、Ｏリング１１の個数に応じて設定される。
・第１継手部材２０の流路管部２１から延長管部２２を省略してもよい。この場合、Ｏリング１１を取り付けるための取付部２３は、第２挿入部２１ｂにおける水流通方向Ｗの下流側端部に設けられる。
【００７３】
・排水管側継手部６は、室内機側継手部１０と異なる構成であってもよい。その一例として、図１１に示すように、排水管側継手部６は、第２継手部材３０から縦管３２を省略し、横管３１にホース接続部３３を設けた第２継手部材５０が第１継手部材２０と着脱自在に取り付けられた構成である。このため、図１１の排水管側継手部６は、第２継手部材５０がドレンホース４に接続される一方、第１継手部材２０がドレン排水管７に接続される。ドレン排水管７は、Ｔ字状の配管（所謂チーズ）であり、複数の室内機に接続されたドレン排水管（ともに図示略）と接続可能である。
【００７４】
・縦管３２の上下方向Ｙの長さ寸法は、任意に設定可能である。例えば、図１２に示すように、縦管３２の上下方向Ｙの長さ寸法は、上記実施形態の縦管３２の上下方向Ｙの長さ寸法よりも長い。このとき、ホース接続部３３は、横管３１の第１管部３１ａに対して間隔を置いて上方に位置する。
【００７５】
・ドレン水排水機構は、高所設置型の空気調和機の室内機ＩＵへの適用に限られず、床置型の空気調和機の室内機に適用してもよい。
【符号の説明】
【００７６】
１…ドレン水排水機構
２…ドレン排水口
２Ｌ…最下部
３…ドレン排水管
４…ドレンホース
６…排水管側継手部（継手部）
７…ドレン排水管
１０…室内機側継手部（継手部）
２０…第１継手部材
２２…延長管部（開口端部）
２２Ｌ…最下部
３０…第２継手部材
３１…横管
３１ａ…第１管部
３１ｂ…第２管部
３１ｃ…段差部
３１ｄ…長孔
３１Ｌ…最下部
３２…縦管
ＩＵ…室内機
ＳＤ…長孔の短径
Ｘ…横方向（第１継手部材が延びる方向、横管が延びる方向）
Ｙ…上下方向
【図１】
0006486846.tif 000002
【図２】
0006486846.tif 000003
【図３】
0006486846.tif 000004
【図４】
0006486846.tif 000005
【図５】
0006486846.tif 000006
【図６】
0006486846.tif 000007
【図７】
0006486846.tif 000008
【図８】
0006486846.tif 000009
【図９】
0006486846.tif 000010
【図１０】
0006486846.tif 000011
【図１１】
0006486846.tif 000012
【図１２】
0006486846.tif 000013
【図１３】
0006486846.tif 000014